(57)【要約】  本開示は、毛切断装置のブレードセットの静止ブレード（６６、１６６）に関し、上壁（７６、１７６）と、底壁（７８、１７８）と、それらの間に形成されて可動ブレード（６８、１６８）を収容するためのガイドスロット（８０、１８０）と、各々が前面端部（１００、２００）を有する複数の静止ブレード歯（７４、１７４）とを有し、上壁（７６、１７６）及び底壁（７８、１７８）は、前面端部（１００、２００）で相互に接合され、上壁（７６、１７６）及び底壁（７８、１７８）は、少なくとも前面端部（１００、２００）において、板金材料から作られており、前面端部（１００、２００）には、２つ以上の板金折り曲げエッジ（１０６、１０８）が存在する。本開示は、さらに、ブレードセット（６４、１６４）並びに毛切断装置（１０）用の静止ブレード（６６、１６６）及びブレードセット（６４、１６４）を製造する方法に関する。
2020516384.tif 000002
【特許請求の範囲】
【請求項１】
毛切断装置のブレードセットのための静止ブレードであって：
‐  上壁と、底壁と、それらの間に形成されて可動ブレードを収容するためのガイドスロットと、
‐  各々が前面端部を有する複数の静止ブレード歯と、
を有し、
前記上壁及び前記底壁は前記前面端部で互いに接合され、
前記上壁及び前記底壁は、少なくとも前記前面端部において、板金材料から作られ、
前記前面端部には、２つ以上の板金折り曲げエッジが存在する、
静止ブレード。
【請求項２】
前記可動ブレードの向かい合った歯に面している前記前面端部の後方部分において、板金材料によって形成された４つの層を含む層構造が設けられる、
請求項１に記載の静止ブレード。
【請求項３】
内側シート及び外側シートを有し、前記内側シートは、前記外側シートの内側に配置される、
請求項１又は２に記載の静止ブレード。
【請求項４】
前記外側シートは、前記内側シートの周囲に巻かれる、
請求項３に記載の静止ブレード。
【請求項５】
前記内側シートは、前記前面端部において単一の折り曲げエッジを有し、前記外側シートは、前記前面端部において単一の折り曲げエッジを有し、前記の内側シート折り曲げエッジは、前記の外側シート折り曲げエッジに入れられている、
請求項３又は４に記載の静止ブレード。
【請求項６】
前記内側シートは、前記折り曲げエッジに隣接して、互いに接触する上層及び底層を有する、
請求項５に記載の静止ブレード。
【請求項７】
前記内側シートの前記上層は、前記ガイドスロットの前面端部を画定する、
請求項６に記載の静止ブレード。
【請求項８】
前記外側シートは、前記折り曲げエッジに隣接して、前記内側シートによって互いに離間された上層及び底層を有する、
請求項５乃至７のいずれか１項に記載の静止ブレード。
【請求項９】
第１の前縁部の第１の一連の歯と、第２の前縁部の第２の一連の歯とを有し、前記内側シートは、前記底壁において前記第１の前縁部と前記第２の前縁部とを接続し、前記外側シートは、前記上壁において前記第１の前縁部と前記第２の前縁部とを接続する、
請求項５乃至８のいずれか１項に記載の静止ブレード。
【請求項１０】
前記歯の前記前面端部で多重折り曲げられた単一のシートを有する、
請求項１又は２に記載の静止ブレード。
【請求項１１】
前記歯の前記前面端部は、外側に面する第１の折り曲げエッジ、外側に面する第２の折り曲げエッジ、及び内側に面する第３の折り曲げエッジを有する３つの折り曲げエッジによって形成される、
請求項１０に記載の静止ブレード。
【請求項１２】
上層、底層、第１の内側層及び第２の内側層を有し、前記第１の内側層及び前記第２の内側層は、前記上層と前記底層との間に配置され、前記第１の内側層は、前記第１の折り曲げエッジと前記第３の折り曲げエッジとの間に延び、前記第２の内側層は、前記第３の折り曲げエッジと前記第２の折り曲げエッジとの間に延びる、
請求項１１に記載の静止ブレード。
【請求項１３】
前記歯から離間した後方部分において、前記底壁は、第１の内側に面する折り曲げエッジと、第１の後方内側層及び第２の後方内側層を規定する第２の外側に面する折り曲げエッジとを有する内側折り曲げセクションを有し、前記第１の後方内側層は上層と接触し、前記第２の後方内側層は底層と接触し、前記第１の後方内側層を形成する前記単一のシートの前記部分は、折り曲げられていない状態において、前記上層を形成する前記単一のシートの前記部分から離間している、
請求項１０乃至１２のいずれか１項に記載の静止ブレード。
【請求項１４】
毛切断装置用のブレードセットであって：
‐  請求項１乃至１３のいずれか１項に記載の静止ブレード、及び
‐  複数の可動ブレード歯を有する可動ブレード、
を有し、
前記静止ブレードの前記ガイドスロットには、中間ガイド要素が前記上壁と前記底壁との間に配置され、
前記可動ブレードには、ガイド凹部が形成され、
前記中間ガイド要素は、前記可動ブレードが移動可能に、特に離脱不可能に保持されるように、前記ガイドスロット内に延び、
前記可動ブレード及び前記静止ブレードは、毛を切るように互いに対して動くように配置されている、
ブレードセット。
【請求項１５】
毛切断装置用のブレードセットの板金ベースの静止ブレードを製造する方法であって：
‐  板金ブランクを提供するステップと、
‐  基本的に平坦な板金構成要素を形成するステップと、
‐  前記板金構成要素内に少なくとも１つのスロットのパターンを形成するステップであって、それによって、少なくとも１つの歯付き前縁部を画定する、ステップと、
‐  前記板金構成要素を多重に折り曲げるステップであって、それによって：
‐  上壁と、底壁と、それらの間に形成されて可動ブレードを収容するガイドスロットと、
‐  各々が前面端部を有する複数の静止ブレード歯と、
を形成し、
前記上壁と前記底壁は前記前面端部で互いに接合され、
前記前面端部には、２つ以上の板金の折り曲げエッジが形成されている、
ステップと、
を含む、
方法。
【発明の詳細な説明】
【技術分野】
【０００１】
本開示は、毛切断装置（hair  cutting  appliance）のブレードセット用の静止ブレードに関し、静止ブレードは、上壁、底壁、及びそれらの間に可動ブレードを収容するために形成されたガイドスロットを有し、複数の静止ブレード歯がそれぞれ前面端部（frontal  end）を有し、上壁及び底壁は、前面端部で相互に結合される。本開示はまた、毛切断装置用のブレードセット、及び毛切断装置に関する。本開示は、さらに、毛切断装置のブレードセット用の静止ブレードの製造方法、及び対応するブレードセットの製造方法に関する。
【背景技術】
【０００２】
特許文献１は、電動毛切断装置のブレードセット用の静止ブレードを開示し、ブレードは、第１の壁及び第２の壁を含み、各壁は、第１の表面、第１の表面から離れる方を向く第２の表面、及び複数の横方向に離間した長手方向に延びる突起部を画定する横方向に延びる前縁部を画定し、第１の壁部及び第２の壁部の第１の表面は、少なくともそれらの前縁部において互いに向かい合い、向かい合っている間、第１の壁部及び第２の壁部の前縁部に沿った突起部は、それらの先端部において相互に接続されて、複数の略Ｕ字形の歯を画定し、第１の壁部及び第２の壁部の第１の表面は、それらの間のブレードセットの可動ブレード用の横方向に延びるガイドスロットを画定し、第１の壁部の突起部は、第２の壁部の突起部の平均厚さよりも小さい平均厚さを有する。
【０００３】
二重壁静止ブレードの製造アプローチが、少なくとも静止ブレードの上壁が少なくとも実質的に板金材料から作られている構成を記載する特許文献２及び特許文献３に開示されている。
【０００４】
特許文献４は、シェービング装置用の板金から作られた波形フェイスプレートを開示し、フェイスプレートは、皮膚と同時に接触するように適合された複数の一連のカッターバーを有し、最も内側の一連のカッターバーは、両端で支持されたくし歯の形態であり、外側の一連のカッターバーは、外側に突出する尖ったくし歯の形態で前記フェイスプレートの中央部から離れて突出している。特許文献５は、ヘアクリッパの同様の構成を示し、板金静止ブレードの横方向端部を保持する横方向クリップ部材が設けられている。
【０００５】
切断装置は、当該技術分野において知られている。切断装置は、特に、毛切断装置を含むことがある。より一般的な文脈において、本開示は、パーソナルケア装置、特にグルーミング装置を扱う。グルーミング装置は、限定されるものではないが、毛切断装置、特にトリミング装置、シェービング装置、及び複合（二重目的又は多目的）装置を含む。
【０００６】
毛切断装置は、ヒトの毛、ときには動物の毛を切断するために使用される。毛切断装置は、顔の毛を切るために、特にひげ剃り及び／又はひげトリミングのために使用することができる。さらに、切断装置は、頭髪及び体毛を切る（ひげそりやトリミングを含む）ためにも使用される。
【０００７】
トリミングモードでは、毛切断装置は、典型的には、毛切断装置のブレードセットを皮膚から離間させるように配置された、いわゆるスペーシングコーム（spacing  comb）を備える。スペーシングコームの有効（オフセット）長さに応じて、トリミング操作後の残りの毛の長さが規定されることができる。
【０００８】
本開示の文脈における毛切断装置は、典型的には、処理ヘッド（processing  head）と称されることがある切断ヘッドを有する。切断ヘッドには、ブレードセットが設けられ、ブレードセットは、いわゆる静止ブレードといわゆる可動ブレードとを有する。毛切断装置が作動されるとき、可動ブレードは、静止ブレードに対して動かされ、これは、それぞれの切断エッジ（cutting  edges）が互いに協働して毛をカットすることを含み得る。
【０００９】
従って、本開示の文脈では、静止ブレードは、毛切断装置の駆動ユニットが静止ブレードと協働しないような方法で毛切断装置に取り付けられるように構成される。むしろ、駆動ユニットは、典型的には、可動ブレードに結合され、可動ブレードを静止ブレードに対して可動に設定するように構成される。従って、静止ブレードは、いくつかの実施形態では、毛切断装置のハウジングに固定して取り付けることができる。
【００１０】
しかし、代替実施形態では、静止ブレードは、ピボット可能（pivotable）な態様で、毛切断装置のハウジングに配置される。これは、例えば、毛切断装置の切断ヘッドの輪郭追従（contour-following）機能を可能にすることができる。従って、本明細書で使用するとき、静止ブレードという用語は、限定的な意味では解釈されないものとする。さらに、言うまでもなく、毛切断装置そのものが移動すると、静止ブレードも移動する。しかし、静止ブレードは、切断作用を引き起こすように能動的に作動されるように配置されていない。むしろ、可動ブレードが、静止ブレードに対して移動するように配置される。
【００１１】
静止ブレードは、ガードブレードとも呼ばれることがある。典型的には、毛切断装置が毛を切るように操作される場合、静止ブレードは、少なくとも部分的に、可動ブレードとユーザの毛又は皮膚との間に配置される。本明細書で使用されるとき、ユーザという用語は、毛が処理又は切られている個人又は対象を指すものとする。言い換えれば、毛切断装置のユーザ及びオペレータは、必ずしも同一人物ではない。ユーザという用語はまた、理容師又は理容店のクライアントを含んでもよい。
【００１２】
いくつかの態様では、本開示は、トリミング動作及びシェービング動作の両方を可能にする毛切断装置に関する。この文脈では、トリミングのために適切に構成された第１のブレードセットと、シェービングのために適切に構成された第２のブレードセットとを含むデュアル切断構成（dual  cutting  arrangement）を組み込んだ毛切断装置が知られている。例えば、シェービングブレードセットは、可動切断要素と協働する孔あき箔（perforated  foil）を含んでもよい。むしろ、トリミングブレードセットは、互いに協働する歯をそれぞれ備える２つのブレードを含んでもよい。原理的には、シェービングブレードセットの静止部分を形成する孔あき箔は、主として強度上の理由から従来の装置ではかなり厚くなければならないトリミングブレードセットの静止ブレードよりもはるかに薄いことがある。
【００１３】
上記の特許文献１は、静止ブレードに２つの壁を設けることを提案し、一方はユーザの皮膚に面し、他方はユーザから離れる方に面している。２つの壁は互いに接続されており、側面視において、可動カッターブレードのガイドスロットを形成するＵ字形の輪郭を画定している。従って、静止ブレードは二重壁ブレードである。これは、第２の壁が静止ブレードに十分な強度を与えるので、第１の壁をかなり薄く構成することができるという利点を有する。従って、このような構成は、それぞれの歯が静止ブレード及び可動ブレードに設けられ得るので、トリミングに適している。さらに、ブレードセットは、静止ブレードの第１の壁の有効厚さがかなり減少されるので、シェービングに適している。
【００１４】
従って、二重壁静止ブレード及びそれぞれのブレードセットの製造に対するいくつかのアプローチが提案されている。しかし、上記のアプローチの少なくともいくつかは、依然として、比較的高い製造コスト、特に、成形コスト及びツーリング（tooling）コストを伴う。特に、インサート成形又はオーバーモールディング技術を伴う、板金及び射出成形の組合せアプローチは、特定の工具及び製造設備を必要とする。さらに、例えば、研削（grinding）、ラッピング（lapping）、バリ取り（deburring）などの比較的複雑且つコストを増加させる補助プロセスが必要になることがある。
【００１５】
従って、この点に関して、毛切断装置用のブレードセットの製造には、まだ改善の余地がある。
【先行技術文献】
【特許文献】
【００１６】
【特許文献１】国際公開２０１３／１５０４１２Ａ１号
【特許文献２】国際公開２０１６／００１０１９Ａ１号
【特許文献３】国際公開２０１６／０４２１５８Ａ１号
【特許文献４】米国特許第２，２７３，７３９Ａ号
【特許文献５】米国特許第２，１５１，９６５Ａ号
【発明の概要】
【００１７】
上記の観点から、本開示の目的は、上述のような二重壁設計の利点を維持しつつ、コスト効率の良い製造を可能にする、毛切断装置のブレードセットのための静止ブレード、及び、対応する静止ブレードを製造する方法を提供することである。より詳細には、高価なツーリング（tooling）及び複雑な後処理及び／又は組立手順を好ましくは必要としない、かなり単純な製造アプローチに主として依存する静止ブレードを製造する方法を提供することが有益であろう。さらに、２つ以上のむしろ別個の異なる製造方法（例えば、シート金属構成要素のインサート成形及び／又はオーバーモールディングなど）を組み合わせるハイブリッド製造アプローチを省略することが有益であろう。
【００１８】
換言すれば、従来の製造方法に基づくが、上述の新規な設計アプローチに従った静止ブレード及びブレードセットの製造を可能にする製造アプローチを提示することが有益であろう。
【００１９】
本開示のさらなる目的は、それぞれの静止ブレードと静止ブレード内に移動可能に保持される可動ブレードとを備えたブレードセットを提供することである。さらに、それぞれのブレードセットを取り付けることができる毛切断装置を提供することが望ましい。
【００２０】
本開示の第１の態様では、毛切断装置のブレードセットのための静止ブレードが提供され、静止ブレードは：
‐  上壁と、底壁と、それらの間に形成されて可動ブレードを収容するためのガイドスロットと、
‐  各々が前面端部を有する複数の静止ブレード歯と、
を有し、
上壁及び底壁は前面端部で互いに接合され、
上壁及び底壁は、少なくとも前面端部において、板金材料から作られ、
前記前面端部には、２つ以上の板金折り曲げエッジ（sheet  metal  folded  edges）が存在する。
【００２１】
この態様は、比較的単純で、比較的確立された製造アプローチにおいても、上壁及び底壁を提供する比較的複雑な静止ブレードが形成されることができ、前面端部に２つ以上の板金折り曲げエッジを設けることにより、設計の自由度が大幅に増大するという洞察に基づいている。
【００２２】
その結果、いくつかの例示的な実施形態では、上壁は底壁よりもかなり薄くすることができ、これは、一方ではシェービング性能を改善し、他方では、静止ブレードの所望の最小強度を維持する。
【００２３】
さらなる例示的な実施形態では、静止ブレードの歯の前面端部における２つ以上の板金折り曲げエッジは、基本的に、静止ブレードの板金ベースの歯のための標準的な設計よりも高い剛性を提供する複数の層が提供され得るので、静止ブレードの強度の増大を可能にする。
【００２４】
従って、上述した態様によれば、静止ブレードの製造のためのツーリングは、折り曲げ装置、及びいくつかの例示的な実施形態では、板金ブランク（sheet  metal  blank）のための比較的単純なパンチング／切断ジグを含む、むしろ従来型のものであってもよい。
【００２５】
より詳細には、少なくともいくつかの例示的な実施形態では、複雑な成形ツール（インサート成形及びオーバーモールディングのための射出成形型を含む）及びそれぞれのハンドリング装置の提供を省くことができる。
【００２６】
以下では、本開示の主要な実施形態の理解を容易にする定義を提供する。定義は、主に、明確化及び説明目的のために提供され、本開示の範囲を限定することを意図しない。
【００２７】
本明細書で使用されるとき、本開示による折り曲げエッジは、折り曲げゾーンと称され得る。すなわち、折り曲げエッジ又は折り曲げゾーンでは、曲げ／折り曲げによって板金材料の２つの脚部が形成される。いくつかの実施態様において、折り曲げエッジを形成する２つの脚部は、折り曲げ手順の後に互いに接触する。特定の実施形態では、折り曲げエッジの２つの脚部は互いに接触しない、すなわち、折り曲げエッジに直接属しない板金属材料のさらなる部分がそれらの間に配置される。概して、主要な実施形態では、折り曲げエッジ又は折り曲げゾーンの２つの脚部は、折り曲げ手順の後に互いに平行である。
【００２８】
本開示の文脈では、壁、層及びシートという用語は、静止ブレードの板金設計（sheet  metal  design）を説明するために使用される。シートは、１つ又は複数の層を形成することができる。１つ又は複数の折り曲げエッジが設けられている場合、シートの２つ以上の層が存在する。２つの層を有するシートは、１つのそれぞれの折り曲げエッジを有する。４層を有するシートは、３つの隣接した折り曲げエッジを有する。さらに、それとは対照的に、層は、２つ以上のシートを形成することができない。１つのシートは、前述のように、２つ以上の隣接（接触又は離間した）層を形成することができる。壁は、１つの層、２つの層、又はさらに多くの層を含み得る。いくつかの実施態様では、壁は、単一のシートによって形成される。他の実施形態では、壁は、２つ又はさらに多くのシートで形成される。
【００２９】
いくつかの実施態様において、曲げられた内側シート及び曲げられた外側シートが提供され、内側シート及び外側シートの両方が、それぞれ、上壁及び底壁に存在する。代替的な例示的な実施形態では、単一の多重折り曲げシートが、静止ブレードの上壁及び底壁の両方を形成する。静止ブレード歯の前面端部では、多重折り曲げシートは、歯の前面端部で４重（fourfold）又は小文字のオメガ型構成を形成し得る。この設計は、Ｍ字型（横たわるＭ）とも呼ばれ得る。
【００３０】
前面端部における複数の折り曲げエッジは、歯、より一般的には、静止ブレードを強化する。各歯は、互いに隣接した２つ以上の折り曲げエッジを有している。
【００３１】
静止ブレードの例示的な実施形態では、可動ブレードの向かい合った（opposite）歯に面している前面端部の後方部分において、板金材料によって形成された４つの層を含む層構造が設けられる。
【００３２】
これは、静止ブレードの明確に定義された全体の高さ又は厚さが規定されるという利点を有する。さらなる結果として、ガイドスロットの高さが、層構造のそれぞれの層を形成する板金材料の厚さによって正確に規定される。従って、高精度で製造され得る層が、ガイドスロットの高さ延長部、従って、組み立てられたブレードセット内に設けられる可動ブレードのために設けられた空間を規定する。
【００３３】
従って、ガイドスロット内の可動ブレードのための全体的なクリアランスは、非常に正確であり且つタイトであることができ、これは、改善された切断及び作動（running）性能をもたらす。
【００３４】
さらなる例示的な実施形態では、静止ブレードは、内側シート及び外側シートを有し、内側シートは、外側シートの内側に配置される。従って、内側シートと外側シートの両方は、上壁と底壁の各々に存在する。それぞれの先端が形成されている歯の前面端部でさえ、内側シートと外側シートの両方が存在する。
【００３５】
静止ブレードのさらなる例示的実施形態では、外側シートは、内側シートの周囲に巻かれる。これは、特に静止ブレード歯の前面端部に当てはまる。これは、静止ブレード歯が剛性があり硬いという効果がある。更に、静止ブレード歯及び上壁の後方部分の内側シートのそれぞれの部分を省略（除去）することによって、ガイドスロットを規定することができる。
【００３６】
静止ブレードのさらに別の例示的な実施形態では、内側シートは、前面端部において単一の折り曲げエッジを有し、外側シートは、前面端部において単一の折り曲げエッジを有し、内側シート折り曲げエッジは、外側シート折り曲げエッジに入れられ（nestled  in）ている。換言すれば、外側シート折り曲げエッジは、内側シート折りエッジに巻き付けられる。内側シート折り曲げエッジでは、それぞれの脚部が互いに接触する。対照的に、外側シート折り曲げエッジのそれぞれの脚部は、互いに離間されている。
【００３７】
静止ブレードのさらに別の例示的な実施形態では、内側シートは、折り曲げエッジに隣接して、互いに接触する上層及び底層を有する。言い換えると、内側シートの上層と底層は互いの上に配置されている。
【００３８】
静止ブレードのさらに別の例示的な実施形態では、内側シートの上層は、ガイドスロットの前面端部を画定する。従って、内側シートの上層は、可動ブレードを収容するためのガイドスロットのためにブランクのままである領域内には延びない。
【００３９】
この方策は、ガイドスロットの高さが、内側シートの上層の厚さによって正確に規定されるという結果を生じる。内側シートのそれぞれの面は、ガイドスロットに収容される可動ブレードの可動ブレード歯の先端に面している。
【００４０】
静止ブレードのさらに別の例示的な実施形態では、外側シートは、折り曲げエッジに隣接して、内側シートによって互いに離間された上層及び底層を有する。したがって、側面視では、外側シートは、Ｕ字形（横向きＵ）であり、上層、底層、及び、上層と底層とを相互接続する折り曲げエッジを形成する。
【００４１】
さらに、静止ブレードのいくつかの例示的な実施形態では、可動ブレードのためのガイドスロットは、外側シートの上層と内側シートの底層との間に延びる。これは、上壁が、特にガイドスロットの近傍において、かなり薄くてもよいが、底層は、基本的に同じ領域（すなわち、ガイドスロットの近傍）において、内側シートの底層及び外側シートの底層の両方が基本的に存在し得るので、少なくとも部分的に著しく厚くてもよいという効果を有する。
【００４２】
さらに別の例示的な実施形態では、静止ブレードは、第１の前縁部の第１の一連の歯と、第２の前縁部の第２の一連の歯とを有し、内側シートは、底壁において第１の前縁部と第２の前縁部とを接続し、外側シートは、上壁において第１の前縁部と第２の前縁部とを接続する。
【００４３】
一般に、他の例示的な実施形態とも関連して、静止ブレードは、第１の前縁部の第１の一連の歯、及び第２の前縁部の第２の一連の歯を有し得る。この方法では、静止ブレード及びそれぞれ装備されたブレードセットは、押し及び引き運動の両方で髪を切るように動作可能である。さらに、装置のトリミング及びスタイリング（styling）性能を向上させることができる。より一般的には、手の届きにくい領域に到達する能力が向上し得る。
【００４４】
概して、第１の前縁部及び第２の前縁部が設けられる場合、静止ブレードは、特にそれぞれの歯に関して、基本的に対称的に配置され得る。
【００４５】
しかし、代替の実施形態では、単一の前縁部のみが設けられる。また、そのような実施形態は、本開示の少なくともいくつかの洞察及び態様から利益を得ることができる。
【００４６】
静止ブレードのさらに別の例示的な実施形態では、歯の前面端部で多重折り曲げられた単一のシートが設けられる。従って、歯の前面端部における２つ以上の折り曲げエッジが、この実施形態に従って単一のシートによって規定される。
【００４７】
静止ブレードのさらに別の例示的な実施形態では、歯の前面端部は、外側に面する第１の折り曲げエッジ、外側に面する第２の折り曲げエッジ、及び内側に面する第３の折り曲げエッジを有する３つの折り曲げエッジによって形成される。概して、内側に面する第３の折り曲げエッジは、外側に面する第１の折り曲げエッジと第２の折り曲げエッジとの間に配置される。従って、全体として、前面端部の小文字のオメガ形又はＭ形の設計が提供される。
【００４８】
また、この実施形態によれば、前面端部での歯のかなりの強化を達成することができる。
【００４９】
さらに別の例示的な実施形態では、静止ブレードは、上層、底層、第１の内側層及び第２の内側層を有し、第１の内側層及び第２の内側層は、上層と底層との間に配置され、第１の内側層は、第１の折り曲げエッジと第３の折り曲げエッジとの間に延び、第２の内側層は、第３の折り曲げエッジと第２の折り曲げエッジとの間に延びる。
【００５０】
その結果、少なくともいくつかのより具体的な実施形態では、ガイドスロットの高さは、上層と下層との間のそれぞれの空間がブランクのままであるとき、第１の内側層及び第２の内側層によって規定され得る。
【００５１】
静止ブレードのさらに別の例示的な実施形態では、歯から離間した後方部分において、底壁は、第１の内側に面する折り曲げエッジと、第１の後方内側層及び第２の後方内側層を規定する第２の外側に面する折り曲げエッジとを有する内側折り曲げセクションを有し、第１の後方内側層は上層と接触し、第２の後方内側層は底層と接触し、第１の後方内側層を形成する単一のシートの部分は、折り曲げられていない状態において、上層を形成する単一のシートの部分から離間している。
【００５２】
従って、歯から離れる方を向いている後方（又は中央）部分においても、上壁と底壁との間の接続部又は支持部が、全く同じ単一のシートによって規定され得る。
【００５３】
概して、単一のシートの実施形態にも関連して、静止ブレードは、第１の前縁部の第１の一連の歯、及び第２の前縁部の第２の一連の歯を有することができ、上層は、第１の前縁部と第２の前縁部とを接続する。
【００５４】
本開示の別の態様では、毛切断装置用のブレードセットが提供され、ブレードセットは：
‐  本明細書に記載される少なくとも１つの実施形態による静止ブレード、及び
‐  複数の可動ブレード歯を有する可動ブレード、
を有し、
静止ブレードのガイドスロットには、中間ガイド要素が上壁と底壁との間に配置され、
可動ブレードには、ガイド凹部が形成され、
中間ガイド要素は、可動ブレードが移動可能に、特に離脱不可能に保持されるようにガイドスロット内に延び、
可動ブレード及び静止ブレードは、特に往復運動する方法で、毛を切るように互いに対して動くように配置されている。
【００５５】
いくつかの特定の実施形態では、中間ガイド要素は、別個の構成要素によって形成される。この実施形態によれば、このようにして形成されるサブアセンブリをガイドスロットに挿入する前に、可動ブレードと中間ガイドエレメントを接合する必要がある。
【００５６】
代替的な実施形態では、中間ガイド要素は、本明細書に記載される静止ブレードの少なくとも１つの実施形態に従って、上壁及び底壁を形成するシート材料の一体部品である。
【００５７】
本開示のさらに別の態様では、毛を通して移動されて毛を切るように構成された毛切断装置が提供され、装置は：
‐  ハンドル部を有するハウジング、
‐  ハウジング内に配置された駆動ユニット、及び
‐  本明細書に記載される少なくとも１つの実施形態によるブレードセットを有する切断ヘッド、
を有する。
【００５８】
概して、ブレードセットは、それぞれの一連の静止ブレード歯（及び可動ブレード歯）によって規定される基本的に直線的な前縁部を有し得る。この実施形態によれば、可動ブレードと静止ブレードとの間に基本的に往復の実質的に直線的な相対運動が存在する。しかし、これは、静止ブレードに対する可動ブレードの少なくとも幾分湾曲した（振動する）移動経路が存在する実施形態を除外するものではない。これは、例えば、可動ブレードのためのそれぞれの案内リンク機構によって引き起こされ得る。
【００５９】
さらに、ブレードセットの基本的に直線的な構成に加えて、ブレードセットの湾曲した又はさらに円形の構成も想定され得る。従って、静止ブレード歯（及び可動ブレード歯）のそれぞれの構成によって規定される幾分湾曲した又は円形の前縁部が設けられ得る。したがって、本明細書において長手方向、横方向及び／又は高さ方向を参照する場合、これは限定的な意味で解釈されないものとする。湾曲又は円形のブレードセットは、同様の方向に関連して定義及び説明されてもよいが、極方向及び／又はさらに適切な方向情報に関連してもよい。従って、デカルト座標系だけでなく、極座標系及びさらに適切な座標系も、ブレードセットの直線及び／又は湾曲設計を記述するために使用することができる。
【００６０】
いくつかの実施形態では、ブレードセットは、２つの反対側の前縁部、すなわち、２つの反対側の一連の静止ブレード歯及び可動ブレード歯を備える。この方法では、ブレードセットの引っ張り運動と押し運動の両方が、切断動作に使用され得る。さらに、この方法では、毛切断装置はより柔軟であり、これは、手の届きにくい領域でのスタイリング操作及び毛切断操作を容易にし得る。
【００６１】
本開示のさらに別の態様では、毛を通して移動されて毛を切るように構成された毛切断装置が提供され、装置は：
‐  ハンドル部を有するハウジング、
‐  ハウジング内に配置された駆動ユニット、及び
‐  本明細書に記載の少なくとも１つの実施形態によるブレードセットを有する切断ヘッド、
を有する。
【００６２】
一般に、切断ヘッドは、処理ヘッドとも呼ばれ得る。一般に、毛切断装置は、グルーミング装置とも呼ばれ得る。毛切断装置は、トリミング装置、シェービング装置、及び／又はトリミングとシェービングの組み合わせ装置として構成され得る。
【００６３】
装置は、電動装置として構成され得る。装置は、内蔵バッテリによって電力供給される、ワイヤレス装置として、又は電線で電力供給される装置として構成され得る。
【００６４】
本開示のさらに別の例示的な実施形態では、毛切断装置用のブレードセットの板金ベースの静止ブレードを製造する方法が提供され、その方法は：
‐  板金ブランクを提供するステップと、
‐  基本的に平坦な板金構成要素を形成するステップと、
‐  板金構成要素内に少なくとも１つのスロットのパターンを形成するステップであって、それによって、少なくとも１つの歯付き前縁部を画定する、ステップと、
‐  板金構成要素を多重に折り曲げるステップであって、それによって：
‐  上壁、底壁、及びそれらの間に形成されて可動ブレードを収容するガイドスロット、
‐  各々が前面端部を有する複数の静止ブレード歯、
を形成し、
上壁と底壁は前面端部で互いに接合され、
前面端部には、２つ以上の板金の折り曲げエッジが形成されている、
ステップと、
を含む。
【００６５】
上に示したステップの順序は、必ずしも固定されたものではない。換言すれば、少なくともいくつかのステップは、それぞれの実施形態に従って交換可能であり得る。
【００６６】
より詳細には、板金構成要素を多重に折り曲げるステップは、外側シートを形成する第１の板金ブランクを折り曲げるステップと、内側シートを形成する第２の板金ブランクを折り曲げるステップとを含み得る。したがって、この実施形態によれば、板金ブランクを提供するステップは、内側シート及び外側シートを形成する２つ以上の基本的に平坦な板金構成要素を提供し、形成するステップを含む。
【００６７】
さらに、本方法は、内側シートと外側シートとを接合するステップを含むことができ、外側シートは、静止ブレード歯の前面端部で内側シートの周囲に巻き付けられる。
【００６８】
本発明の好ましい実施形態は、従属請求項において定義される。請求項に記載された方法は、請求項に記載された装置と同様の及び／又は同一の好ましい実施形態を有し、従属請求項において定義されていることを理解されたい。
【図面の簡単な説明】
【００６９】
本開示のこれら及び他の態様は、以下に記載する実施形態から明らかになり、以下に記載する実施形態を参照して説明される。
【００７０】
【図１】毛切断装置の例示的な実施形態の斜視正面図を示す。
【図２】毛切断装置用のブレードセットの例示的な実施形態の斜視上面図を示す。
【図３】毛切断装置用のブレードセットの例示的な実施形態の斜視底面図を示す。
【図４】図３の構成の底面図を分解状態で示す。
【図５】隠れたエッジ表示を含む、図３の構成の部分的な上面図である。
【図６】図５の構成の拡大側面図である。
【図７】図５の線ＶＩＩ−ＶＩＩに沿った拡大横断面図である。
【図８】図５の構成の拡大側面分解図である。
【図９】部分的に分離された状態の図３の構成の部分図である。
【図１０】隠れたエッジ表示の図３〜９の構成の斜視上面図であり、例示のために外側シートは部分的に省略されている。
【図１１】毛切断装置用のブレードセットのさらなる例示的実施形態の斜視図である。
【図１２】図１１の構成の分解図である。
【図１３】図１１及び図１２の構成においてその静止ブレードを形成するために使用される単一シートを形成するブランクの折り曲げられていない図である。
【図１４】部分的に分離された状態における図１１の構成の拡大斜視底面図である。
【図１５】図１１〜１４に示された実施形態の静止ブレードの拡大斜視底面詳細図である。
【図１６】隠れたエッジ表示を含む、図１１の構成の部分上面図である。
【図１７】図１６の線ＸＶＩＩ−ＸＶＩＩに沿った拡大横断面図である。
【図１８】図１６の構成の拡大分解側面図である。
【図１９】図１７及び図１８に示す静止ブレードのさらに拡大した部分詳細側面図である。
【図２０】ブレードセットの静止ブレードを製造する方法の例示的な実施形態を示すブロック図である。
【図２１】毛切断装置用のブレードセットを製造する方法の例示的な実施形態を示すブロック図である。
【図２２】毛切断装置用のブレードセットを製造する方法のさらに別の実施形態のブロック図である。
【発明を実施するための形態】
【００７１】
図１は、毛切断装置１０の斜視正面図を示す。毛切断装置１０は、トリミングとシェービングの両方を行うことができる装置として構成されている。
【００７２】
装置１０は、細長い形態で構成されたハウジング１２を有する。ハウジング１２には、ハンドル部１４が規定されている。ハウジング１２内には、駆動ユニット１６が配置されている。さらに、バッテリ１８は、ハウジング１２内に配置され得る。図１において、駆動ユニット１６及びバッテリ１８は、破線のブロックで示されている。ハウジング１２には、オン／オフボタン等のようなオペレータ制御装置２０が設けられ得る。
【００７３】
その上端において、装置１０は、ハウジング１２に取り付けられた処理ヘッド２４を有する。処理ヘッド２４は、ブレードセット２６を有する。ブレードセット２６、特にその可動ブレードは、図１の二重矢印２８も参照して、駆動ユニット１６によって往復動する方法で、駆動される。その結果、ブレードセット２６のブレードのそれぞれの歯が互いに対して動き、それによって切断作用をもたらす。ブレードセット２６の上側又は上面は、図１において３０で示されている。
【００７４】
ブレードセット２６のブレードは、第１の前縁部３２、及び、少なくとも一部の実施形態では、第１の前縁部３２と反対側の第２の前縁部３４に配置され得る。第１の前縁部３２は、前方前縁部とも呼ばれ得る。第２の前縁部３４は、後方前縁部とも呼ばれ得る。
【００７５】
さらに、図１に、装置１０の一般的な前進方向又は移動方向を二重矢印３８で示す。図１の例示的な実施形態のブレードセット２６は２つの前縁部３２、３４を備えているので、押し及び引き運動が毛を切るために用いられ得る。
【００７６】
以下では、静止ブレード及びブレードセット２６の例示的な実施形態が明らかにされ、より詳細に説明される。ブレードセット２６は、装置１０又は類似の装置に取り付けることができる。言うまでもなく、各実施形態に関連して開示された単一の特徴は、分離された方法で、他の実施形態のいずれかと組み合わされてもよく、それによって、本開示の範囲に依然として含まれるさらなる実施形態を形成する。
【００７７】
本明細書に示されるいくつかの図において、例示的な座標系は、説明目的のために示される。本明細書で使用されるとき、Ｘ軸は、長手方向に割り当てられる。さらに、Ｙ軸が横方向に割り当てられる。従って、Ｚ軸は、垂直方向（高さ方向）に割り当てられる。ブレードセット２６のそれぞれの特徴及び伸長部分との軸／方向Ｘ、Ｙ、Ｚのそれぞれの関連は、これらの図から導くことができる。座標系Ｘ、Ｙ、Ｚは、主として説明目的のために提供されるものであり、本開示の範囲を限定することを意図するものではないことを理解されたい。これは、当業者が、さらなる実施形態、図示及び表示方向のずれに直面したときに、座標系を容易に変える及び変換することができることを含む。また、デカルト座標系の極座標系への変換が、特に円形又は湾曲したブレードセットの文脈において、想定され得る。
【００７８】
図２には、毛切断装置１０の処理ヘッド又は切断ヘッド２４用のブレードセット２６の斜視図が示されている。図１に示す実施形態と同様に、ブレードセット２６のブレードの切断方向及び／又は相対運動の方向が矢印２８で示されている。装置１０が操作されるときにユーザに向いているブレードセット２６の上面は３０で示されている。図２に示す例示的な実施形態では、ブレードセット２６は、第１の前縁部３２及び第２の前縁部３４を備える。図２には、ブレードセット２６の静止ブレード４２が示されている。可動ブレード（カッターブレード）は、図２の静止ブレード４２によって覆われている。静止ブレードの歯は４４で示されている。
【００７９】
図２では見えないブレードセット２６の可動ブレードは、駆動ブリッジとも呼ばれ得る駆動係合要素４８を介して操作されるとともに作動される。要素４８には、駆動軸５２の駆動ピン５０によって係合される駆動又は係合スロットが形成される。駆動軸５２は、湾曲した矢印５６を参照して、駆動軸５４の周りに回転される。駆動ピン５０は、駆動軸５４に対して偏心している。その結果、駆動ピン５０が回転すると、静止ブレード４２に対する可動ブレードの往復運動が行われる。
【００８０】
図２には、輪郭追従機構（contour  following  feature）とも呼ばれ得るピボット（pivot）機構５８がさらに示されている。機構５８は、Ｙ軸周りのブレードセット２６の特定のピボット運動を可能にする。
【００８１】
図３〜図１９を参照すると、図１に示すような装置１０及び図２に示すような処理ヘッド２４内で動作可能なブレードセットの例示的な実施形態が、より詳細に図示され、説明される。
【００８２】
図３は、本開示によるブレードセット６４の第１の実施形態の斜視底面図である。図２に例示的に示すブレードセット２６と同様に、ブレードセット６４は、ガードとも呼ばれ得る静止ブレード６６と、カッターとも呼ばれ得る可動ブレード６８とを有する。図３において、可動ブレード６８は、静止ブレード６６によって大部分が覆われている。
【００８３】
ブレードセット６４は、第１の前縁部７０及び第２の前縁部７２を有する。静止ブレード６６には、第１の前縁部７０と第２の前縁部７２の両方に静止ブレード歯７４が設けられている。
【００８４】
図３を参照し、さらに図４〜１０を参照して、ブレードセット６４の態様及び特徴を図示し、さらに詳細に説明する。
【００８５】
静止ブレード６６は、上壁７６と、底壁７８と、その間に形成されたガイドスロット８０とを有する。上壁７６は、ブレードセット６４を実装する装置が毛を切るために操作されるときに、ユーザに面し、接触する。従って、底壁７８は、ユーザから離れる方に面し、ハウジング（図１の参照番号１２）に面している。
【００８６】
図４は、図３〜図１０に記載した実施形態に従って、静止ブレード６６が、可動ブレード６８におけるそれぞれのスロット又はウィンドウ（ガイド凹部９４）にマッチし、ガイドスロット８０内に可動ブレード６８をガイド及び保持する、いわゆる中間ガイド要素８２を有することを示す。組み立てられた状態では、中間ガイド要素８２は静止ブレード６６の一部を形成する。
【００８７】
従って、中間ガイド要素８２及び可動ブレード６８は、接合状態においてガイドスロット８０に取り付けられなければならない。
【００８８】
外側シート８６は、外側シェルと見なすことができる。内側シート８４は、内側シェルとみなすことができる。外側シート８６は、内側シート８４の周囲に巻き付けられる。外側シート８６と内側シート８４とは、上壁と底壁７８と、それらの間に延びるガイドスロット８０とを合わせて画定する。
【００８９】
図４において、可動ブレード歯は、参照番号６８によって示される。さらに、ブレードセット６４の構成要素のいくつかには、いわゆるアライメント機構（alignment  features）９０が設けられている。凹部又は孔として形成されたアライメント機構９０は、中間ガイド要素８２、内側シート８４及び外側シート８６に設けられている。いくつかの実施形態では、アライメント機構は、それぞれの層もしくはシートの適切かつ正確な位置合わせを保証する。
【００９０】
可動ブレード６８に形成されたガイド凹部９４には、接触突起として配置された接触要素９６が設けられている。接触要素９６は、可動ブレード６８が静止ブレード６６のガイドスロット８０内で往復駆動されるときに、中間ガイド要素８２においてガイド面に接触するように配置される。
【００９１】
図４では、取り付け凹部として配置されたコネクタゾーン９２が可動ブレード６８に設けられている。コネクタゾーン９２は、駆動要素（図２の駆動要素４８を参照）と接触又は係合して可動ブレード６８を動作させるように構成されている。
【００９２】
特に、図５、図６、図７及び図８を参照する。図５は、ブレードセット６４の組み立てられた状態を示し、隠れた構成要素は隠れエッジモードで示されている。静止ブレード６６の歯７４は、それぞれの先端を形成する前面端部１００を有する。図６〜図８から最もよく分かるように、前面端部１００は、上壁７６と底壁７８との間の接触によって相互に形成される。
【００９３】
内側シート８４には、折り曲げエッジ１０６が歯７４の前面端部１００に設けられている。外側シート８６には、折り曲げエッジ１０８が歯７４の前面端部１００に設けられている。折り曲げエッジ１０６は、折り曲げエッジ１０８に入れられている。これは、ブレードセット６４の両側における第１の前縁部７０及び第２の前縁部７２の両方に適用され、図３を参照されたい。
【００９４】
図５、図６及び図７のいずれにおいても、歯７４の後方部分が１１２によって示されている。後方部分１１２において、内側シート８４は、互いに接触する上層１１４及び底層１１６を形成する。さらに、外側シート８６は、後方部分１１２において、内側シート８４の上層１１４及び底層１１６によって互いに離間された上層１２０及び底層１２２を形成する。内側シート８４の上層１１４は、可動ブレード８６のために設けられたガイドスロット８０の前面端部を画定する。
【００９５】
全体として、内側シート８４と外側シート８６は、歯７４の後方部分１１２において互いに上に配置された４つの層１１４、１１６、１２０、１２２を有する層状構成を規定する。上層１１４及び上層１２０は、上壁７６を共に画定する。底層１１６及び底層１２２は、底壁７８を共に画定する。
【００９６】
従って、図６及び図７に最もよく見られるように、底壁７８は、静止ブレード６６の上壁７６よりも厚い。ガイドスロット８０は、外側シート８６の上層１２０と内側シート８４の底層１１６との間に形成される。
【００９７】
図９は、ブレードセット６４の構成要素の層状配置を示す。同様に、図１０は、装着状態のブレードセット６４を示しており、例示のために、外側シート８６は部分的に省略されている。
【００９８】
２つの折り曲げられたシート８４、８６を提供することによって、設計の自由度を大幅に拡大されることができ、静止ブレード６６の上部及び底部に異なるサイズの壁をもたらす。
【００９９】
図１１〜図１９を参照すると、板金ベースのブレードセット１６４のさらなる例示的な実施形態が図示され、さらに詳細に説明される。図１１は、ブレードセット１６４の斜視底面図である。図１２は対応する分解図である。ブレードセット１６４は、静止ブレード１６６と可動ブレード１６８とを有する。ブレードセット１６４は、第１の前縁部１７０及び第２の前縁部１７２を形成する。第１の前縁部１７０及び第２の前縁部１７２の各々に、静止ブレード１６６の歯１７４が設けられる。静止ブレード１６６は、上壁１７６及び底壁１７８を有し、これらは、その間に可動ブレード１６８を収容するためのガイドスロット１８０を画定する。静止ブレード１６６を形成するために、単一のシート１８４が使用される。さらに、図１１〜図１９の例示的実施形態によれば、別個の中間ガイド要素（図３〜図１０の参照番号８２を参照）は存在しない。可動ブレード１６８の歯は、図１２において１８８によって示される。さらに、本明細書で前述した静止ブレード６６と同様に、静止ブレード１６６はまた、ガイドウィンドウ又はガイド凹部１９４を有し、単一のシート静止ブレード１６６の対応するガイド輪郭と協働する接触要素１９６が設けられる。接触要素１９６は、静止ブレード１６６のガイドスロット１８０内の対応するガイド壁又はガイド面に接触する接触突起とも称され得る。
【０１００】
さらに、アライメント機構１９０が、図１２に示されており、この文脈では図１３も参照されたい。アライメント機構１９０は、静止ブレード１６６を形成する単一のシート１８４の最終的に正確に折り曲げられた形状に寄与する。
【０１０１】
さらに、図３〜図１０に示す実施形態と同様に、図１２に示す可動ブレード１６８もまた、それぞれの駆動要素に対するコネクタゾーン１９２又はコネクタ幾何学形状を備える。
【０１０２】
図１３は平坦なブランク１９８を示し、そこから、パンチング又はスタンピングによって単一のシート１８４を得ることができる。折り曲げられていない状態では、歯１７４、上壁１７６、及び底壁１７８を最終折り曲げ状態で画定する各部分は、直列に配置される。さらに、先端又は前面端部２００が図１３に示されており、各歯１７４において、折り曲げられていない状態で、２つの前面端部２００が設けられ、その間に内側部分２０２が形成される。一連の歯１７４は、図１３に示されているブランク１９８内の第１の前縁部１７０及び第２の前縁部１７２の両方のためのそれぞれのパターンで設けられている。一連の歯１７４は、隣接する歯の間にそれぞれのスロット２０４を形成することによって画定され得る。図１４及び図１５をさらに参照し、折り曲げられた状態の静止ブレード１６６を説明する。図１４では、可動ブレード１６８が静止ブレード１６６のガイドスロット１８０に配置されている。可動ブレード１６８のためのガイドは、静止ブレード１６６の中央又は背面部分２１８内の折り曲げエッジ２１４、２１６によって提供される。これに関連して、図１７、図１８、及び図１９をさらに参照する。
【０１０３】
図１４及び図１５は、静止ブレード１６６の歯１７４の前面端部２００が、単一のシート１８４を多重折り曲げることによって形成されることを示す。この方法では、折り曲げエッジ２０６、２０８、２１０が前面端部２００に形成される。折り曲げエッジ２０６は、上側折り曲げエッジと称され得る。折り曲げエッジ２０８は、底部折り曲げエッジと称され得る。折り曲げエッジ２１０は、中間折り曲げエッジと称され得る。全体的に、歯１７４の前面端部２００は、Ｍ字形又は小文字のオメガ形である。
【０１０４】
図１６、図１７及び図１８において、歯１７４の後方部分は、破線のボックスで示されている。後方部分２１２では、折り曲げエッジ２０６、２０８、２１０がガイドスロット１８０の前面端部を画定する。
【０１０５】
さらに、より詳細に図１９に示すように、静止ブレード１６６の背面部分２１８には、上壁１７６と底壁１７８との間の接触又は接続を提供する折り曲げエッジ２１４、２１６が存在する。折り曲げエッジ２１４は、後方に面する曲げエッジである。折り曲げエッジ２１６は、前面折り曲げエッジである。可動ブレード１６８は、折り曲げエッジ２１０、２１６の間に案内される。
【０１０６】
単一のシート１８４は、上層２３０、底層２３２、第１の内側層２３４、及び第２の内側層２３６を形成する。この方法では、単一のシート１８４のみを使用して、二重壁の静止ブレード１６６と、可動ブレード１６８のための正確に成形され且つ境界が定められたガイドスロット１８０とを形成することができる。さらに、ガイドスロット１８０の高さは、シート１８０全体にわたって基本的に一定である内側層２３４、２３６のそれぞれの高さ（厚さ）によって正確に規定される。
【０１０７】
図２０を参照すると、毛切断装置のブレードセット用静止ブレードを形成する方法の例示的な実施形態が示されている。第１のステップＳ１０において、板金ブランクが提供される。次のステップＳ１２において、板金構成要素がそこから得られる。ステップＳ１２は、打ち抜き又は切断操作を含み得る。さらに、ステップＳ１４において、静止ブレードの最終状態において一連の歯を画定する一連のスロットが、板金構成要素内に形成される。ステップＳ１２及びＳ１４は、同時に実行されてもよい。
【０１０８】
このようにして半完成品を準備すると、折り曲げステップＳ１６を開始することができる。図２０に示すように、以下のステップＳ１６は、それぞれが１つの折り曲げエッジの形成を含むサブステップＳ１８、Ｓ２０を含む。この方法では、シート金属構成要素は、２回以上折り畳まれて、ガイドスロットを画定する二重壁静止ブレードを形成することができ、複数の歯を有する少なくとも１つの前縁部が設けられ、歯は、その前面端部において、シート金属材料の２つ以上の折り曲げエッジによって画定される。
【０１０９】
さらに、図２１を参照し、毛切断装置用のブレードセットを製造する関連する方法を示す。
【０１１０】
この方法は、内側シートブランクの提供に関連するステップＳ５０を含む。次のステップＳ５２において、例えば、切断によって、板金構成要素が形成される。次のステップＳ５４において、一連の歯を画定するスロットが、板金構成要素において加工される。さらに、折り曲げステップＳ５６が続き、シート金属構成要素内の少なくとも１つの折り曲げエッジが形成され得る。同様に、ステップＳ６０、Ｓ６２、Ｓ６４、Ｓ６６を含む並列シーケンスにおいて、外側シートが形成される。ステップＳ６０において、外側シートブランクが提供される。次のステップＳ６２において、外側シートのためのシート金属構成要素が、切断又は型抜きによって形成される。さらなるステップＳ６４において、一連のスロットがその中に加工されて一連の歯を画定する。さらに、ステップＳ６６において、板金構成要素が折り曲げられる。
【０１１１】
ステップＳ５２／Ｓ５４及びステップＳ６２／Ｓ６４は、それぞれ、同時に実行されてもよい。
【０１１２】
内側シートと外側シートの両方が接合ステップＳ７０において接合される。最終的に、外側シートは、内側シートに巻き付けられる。
【０１１３】
さらに、提供（provision）ステップＳ７２、Ｓ７４が与えられている。ステップＳ７２において、可動ブレードが提供される。ステップＳ７４において、中間ガイド要素が提供される。可動ブレード及び中間ガイド要素は、それらが内側シート及び外側シートによって画定されるガイドスロットに一緒に挿入されなければならないように配置される。したがって、組み立てステップＳ７６が続き、そこれは、内側シート、外側シート、可動ブレード及び中間ガイド要素が接合され、組み立てられる。
【０１１４】
さらに、その後のステップＳ７８において、内側シート、外側シート及び中間ガイド要素は、例えば、ボンディングによって、互いに固定して取り付けられる。
【０１１５】
図２２を参照すると、毛切断装置用のブレードセットを製造する方法の代替実施形態が示されている。この方法は、板金ブランクの提供に関するステップＳ１００を含む。次のステップＳ１０２において、例えば、切断又はスタンピングによって、ブランクからシート金属成分が得られる。さらなるステップＳ１０４において、一連のスロットが、複数の静止ブレード歯を画定するために、シート金属構成要素において加工される。ステップＳ１００及びＳ１０２は、同時に実行されてもよい。
【０１１６】
次の折り曲げステップＳ１０６において、３つ以上の折り曲げ（サブ）ステップＳ１０８、Ｓ１１０、Ｓ１１２が実行される。従って、図２２に示される実施形態に従って、静止ブレードの歯の前面端部を画定するために、互いに隣接する３つの折り曲げエッジが加工される。
【０１１７】
いくつかの実施形態では、折り曲げステップＳ１０６は、ブレードセットの可動ブレードのための中間ガイド要素又はガイド構造が形成され得るように、静止ブレードの中央領域における折り曲げエッジの形成をさらに含む。
【０１１８】
ステップＳ１１４において、それぞれの可動ブレードが提供される。したがって、組み立てステップＳ１１６において、可動ブレード及び静止ブレードが接合され、組み立てられ得る。これは、静止ブレードの中間ガイド部が、可動ブレードの案内凹部と係合して静止ブレードのガイドスロット内に可動ブレードを取り外しできない方法で保持することを含み得る。
【０１１９】
さらなるステップＳ１１８が続き、そこでは、折り曲げステップＳ１０６の結果として形成される静止ブレードの上壁と底壁が、例えば、ボンディングによって互いに対して取り付けられ得る。ボンディングは、はんだ付け、溶接、レーザ溶接、カシメ（clinching）等を含み得る。
【０１２０】
本開示は、図面及び前述の説明において詳細に図示及び説明されているが、このような図示及び説明は、説明的又は例示的であり、限定的ではなく、本発明は、開示された実施形態に限定されない。開示された実施形態に対する他の変形は、図面、開示、及び添付の特許請求の範囲の研究から、当業者が請求項に記載された発明を実施する際に理解し、実施することができる。
【０１２１】
請求項において、語「有する、含む」は、他の要素又はステップを除外せず、不定冠詞「１つの（“ａ”又は“ａｎ”）」は、複数を除外しない。単一の要素又は他のユニットは、請求項に記載されたいくつかのアイテムの機能を満たすことができる。特定の手段が相互に異なる従属請求項に記載されているという単なる事実は、これらの手段の組み合わせが有利に利用できないことを示すものではない。
【０１２２】
請求項中の引用符号は、その範囲を限定するものと解釈してはならない。
【図１】
2020516384.tif 000003
【図２】
2020516384.tif 000004
【図３】
2020516384.tif 000005
【図４】
2020516384.tif 000006
【図５】
2020516384.tif 000007
【図６】
2020516384.tif 000008
【図７】
2020516384.tif 000009
【図８】
2020516384.tif 000010
【図９】
2020516384.tif 000011
【図１０】
2020516384.tif 000012
【図１１】
2020516384.tif 000013
【図１２】
2020516384.tif 000014
【図１３】
2020516384.tif 000015
【図１４】
2020516384.tif 000016
【図１５】
2020516384.tif 000017
【図１６】
2020516384.tif 000018
【図１７】
2020516384.tif 000019
【図１８】
2020516384.tif 000020
【図１９】
2020516384.tif 000021
【図２０】
2020516384.tif 000022
【図２１】
2020516384.tif 000023
【図２２】
2020516384.tif 000024
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
毛切断装置のブレードセットのための静止ブレードであって：
‐  上壁と、底壁と、それらの間に形成されて可動ブレードを収容するためのガイドスロットと、
‐  各々が前面端部を有する複数の静止ブレード歯と、
を有し、
前記上壁及び前記底壁は前記前面端部で互いに接合され、
前記上壁及び前記底壁は、少なくとも前記前面端部において、板金材料から作られ、
前記前面端部には、２つ以上の板金折り曲げエッジが存在する、
静止ブレード。
【請求項２】
前記可動ブレードの向かい合った歯に面している前記前面端部の後方部分において、板金材料によって形成された４つの層を含む層構造が設けられる、
請求項１に記載の静止ブレード。
【請求項３】
内側シート及び外側シートを有し、前記内側シートは、前記外側シートの内側に配置される、
請求項１又は２に記載の静止ブレード。
【請求項４】
前記外側シートは、前記内側シートの周囲に巻かれる、
請求項３に記載の静止ブレード。
【請求項５】
前記内側シートは、前記前面端部において単一の折り曲げエッジを有し、前記外側シートは、前記前面端部において単一の折り曲げエッジを有し、前記の内側シート折り曲げエッジは、前記の外側シート折り曲げエッジに入れられている、
請求項３又は４に記載の静止ブレード。
【請求項６】
前記内側シートは、前記折り曲げエッジに隣接して、互いに接触する上層及び底層を有する、
請求項５に記載の静止ブレード。
【請求項７】
前記内側シートの前記上層は、前記ガイドスロットの前面端部を画定する、
請求項６に記載の静止ブレード。
【請求項８】
前記外側シートは、前記折り曲げエッジに隣接して、前記内側シートによって互いに離間された上層及び底層を有する、
請求項５乃至７のいずれか１項に記載の静止ブレード。
【請求項９】
第１の前縁部の第１の一連の歯と、第２の前縁部の第２の一連の歯とを有し、前記内側シートは、前記底壁において前記第１の前縁部と前記第２の前縁部とを接続し、前記外側シートは、前記上壁において前記第１の前縁部と前記第２の前縁部とを接続する、
請求項５乃至８のいずれか１項に記載の静止ブレード。
【請求項１０】
前記歯の前記前面端部で多重折り曲げられた単一のシートを有する、
請求項１又は２に記載の静止ブレード。
【請求項１１】
前記歯の前記前面端部は、外側に面する第１の折り曲げエッジ、外側に面する第２の折り曲げエッジ、及び内側に面する第３の折り曲げエッジを有する３つの折り曲げエッジによって形成される、
請求項１０に記載の静止ブレード。
【請求項１２】
上層、底層、第１の内側層及び第２の内側層を有し、前記第１の内側層及び前記第２の内側層は、前記上層と前記底層との間に配置され、前記第１の内側層は、前記第１の折り曲げエッジと前記第３の折り曲げエッジとの間に延び、前記第２の内側層は、前記第３の折り曲げエッジと前記第２の折り曲げエッジとの間に延びる、
請求項１１に記載の静止ブレード。
【請求項１３】
前記歯から離間した後方部分において、前記底壁は、第１の内側に面する折り曲げエッジと、第１の後方内側層及び第２の後方内側層を規定する第２の外側に面する折り曲げエッジとを有する内側折り曲げセクションを有し、前記第１の後方内側層は上層と接触し、前記第２の後方内側層は底層と接触し、前記第１の後方内側層を形成する前記単一のシートの前記部分は、折り曲げられていない状態において、前記上層を形成する前記単一のシートの前記部分から離間している、
請求項１０乃至１２のいずれか１項に記載の静止ブレード。
【請求項１４】
毛切断装置用のブレードセットであって：
‐  請求項１乃至１３のいずれか１項に記載の静止ブレード、及び
‐  複数の可動ブレード歯を有する可動ブレード、
を有し、
前記静止ブレードの前記ガイドスロットには、中間ガイド要素が前記上壁と前記底壁との間に配置され、
前記可動ブレードには、ガイド凹部が形成され、
前記中間ガイド要素は、前記可動ブレードが移動可能に、特に離脱不可能に保持されるように、前記ガイドスロット内に延び、
前記可動ブレードは、前記静止ブレードに対して動くように配置されている、
ブレードセット。
【請求項１５】
毛切断装置用のブレードセットの板金ベースの静止ブレードを製造する方法であって：
‐  板金ブランクを提供するステップと、
‐  基本的に平坦な板金構成要素を形成するステップと、
‐  前記板金構成要素内に少なくとも１つのスロットのパターンを形成するステップであって、それによって、少なくとも１つの歯付き前縁部を画定する、ステップと、
‐  前記板金構成要素を多重に折り曲げるステップであって、それによって：
‐  上壁と、底壁と、それらの間に形成されて可動ブレードを収容するガイドスロットと、
‐  各々が前面端部を有する複数の静止ブレード歯と、
を形成し、
前記上壁と前記底壁は前記前面端部で互いに接合され、
前記前面端部には、２つ以上の板金の折り曲げエッジが形成されている、
ステップと、
を含む、
方法。
【手続補正２】
【補正対象書類名】明細書
【補正対象項目名】００５４
【補正方法】変更
【補正の内容】
【００５４】
本開示の別の態様では、毛切断装置用のブレードセットが提供され、ブレードセットは：
‐  本明細書に記載される少なくとも１つの実施形態による静止ブレード、及び
‐  複数の可動ブレード歯を有する可動ブレード、
を有し、
静止ブレードのガイドスロットには、中間ガイド要素が上壁と底壁との間に配置され、
可動ブレードには、ガイド凹部が形成され、
中間ガイド要素は、可動ブレードが移動可能に、特に離脱不可能に保持されるようにガイドスロット内に延び、
可動ブレードは、静止ブレードに対して動くように配置されている。
【国際調査報告】
2020516384.tif 000025
2020516384.tif 000026